(57)【要約】【課題】可視光を透過する透明性を保持すると共に、特定の周波数の電磁波のみを透過し、しかも、窓ガラス等に対しても簡単に電磁波シールドを施すことができる電磁波遮蔽材とその製造方法を提供する。【解決手段】電磁波遮蔽材１を、可視光を透過する透明な導体層１０の面に、所定の形状及び所定の寸法の貫通孔２０を配列し、この貫通孔２０の形状及び寸法に対応した所定の周波数の電磁波のみを透過可能として構成する。また、電磁波遮蔽材１Ａを、形状又は寸法の少なくとも一方が異なる複数の種類の貫通孔２０Ａ，２０Ｂを配置し、この複数の種類の貫通孔２０Ａ，２０Ｂに対応した複数の周波数の電磁波を透過可能として構成する。【選択図】　図１
2004053466.tif 000002
【特許請求の範囲】
【請求項１】
可視光を透過する透明な導体層の面に、所定の形状及び所定の寸法の貫通孔を配列し、該貫通孔の形状及び寸法に対応した所定の周波数の電磁波のみを透過可能とした電磁波遮蔽材。
【請求項２】
形状又は寸法の少なくとも一方が異なる複数の種類の前記貫通孔を配置し、該複数の種類の貫通孔に対応した複数の周波数の電磁波を透過可能とした請求項１記載の電磁波遮蔽材。
【請求項３】
前記貫通孔の形状を、複数の線状スリットを放射状に接続した形状にした請求項１又は２に記載の電磁波遮蔽材。
【請求項４】
前記透明な導体層を、金属、金属酸化物、金属窒化物の内の一つ又はこれらの混合物を材料とした、格子、織物、箔、多孔膜、真空蒸着膜、スパッタリング膜、ＣＶＤ膜の内の一つ又はこれらの積層体で形成した請求項１〜３のいずれか１項に記載の電磁波遮蔽材。
【請求項５】
前記透明な導体層を透明なフィルムに積層した請求項１〜４のいずれか１項に記載の電磁波遮蔽材。
【請求項６】
前記透明な導体層若しくは透明なフィルムに、接着剤若しくは粘着材を塗布し、又は、前記透明な導体層若しくは透明なフィルムに、粘着フィルムを積層した請求項５記載の電磁波遮蔽材。
【請求項７】
無線電話通信で使用する電磁波の周波数の少なくとも一つの周波数の電磁波を透過可能とした請求項１〜６のいずれか１項に記載の電磁波遮蔽材。
【請求項８】
請求項１〜７のいずれか１項に記載の電磁波遮蔽材の製造にあたり、前記透明な導体層に、前記貫通孔を開口する刃を配列したプレス若しくはローラを押圧することにより、前記透明な導体層に前記貫通孔を打ち抜いて開口する電磁波遮蔽材の製造方法。
【請求項９】
請求項１〜７のいずれか１項に記載の電磁波遮蔽材の製造にあたり、前記透明な導体層に、前記貫通孔に対応する凸状の型を配列したプレス若しくはローラを加熱して当接し、前記凸状の型が当接した部分を熱で融解することにより、前記透明な導体層に前記貫通孔を開口する電磁波遮蔽材の製造方法。
【発明の詳細な説明】
【０００１】
【発明の属する技術分野】
本発明は、電磁波遮蔽材に関し、更に詳しくは、窓ガラス等の透明性を損なうことなく施工可能で、選択可能な所定の周波数帯の電磁波のみを透過し、それ以外の周波数の電磁波を遮蔽できる透明な電磁波遮蔽材に関するものである。
【０００２】
【従来の技術】
近年の無線通信利用の普及には著しいものがあり、従来は有線が当たり前であったＬＡＮ（ｌｏｃａｌ　ａｒｅａ　ｎｅｔｗｏｒｋ）においても、無線ＬＡＮ（ワイヤレスＬＡＮ）が広く普及し始めており、現在では無線ＬＡＮ用の電磁波の周波数として、２．４ＧＨｚに加えて５．２ＧＨｚが利用可能となっている。
【０００３】
しかしながら、無線ＬＡＮの使用に際しては、無線ＬＡＮで使用している電磁波が無線ＬＡＮ使用区域以外に漏洩し、この漏洩電磁波から情報が漏れてしまう危険性や、外部からの無線ＬＡＮの侵入電磁波の通信混線によってノイズ混入や誤動作発生の危険性があるために、情報の管理に厳しいセキュリティ感度の高い部署、部門、会社、官庁等の組織においては、無線ＬＡＮの導入に消極的である。
【０００４】
そのため、無線ＬＡＮの普及に際して、無線ＬＡＮを運用する区域の電磁波を遮蔽し、無線ＬＡＮによる情報の漏洩の防止や外部からの電磁波による影響の排除が必要となるが、これらの無線ＬＡＮの運用区域内では、通常携帯電話やＰＨＳ等の公共的な無線電話通信も行われており、これらの無線電話通信手段の利便性を損なうことは、業務効率を低下させる要因となり好ましくない。
【０００５】
従って、携帯電話やＰＨＳ等の公共的な無線電話通信の電磁波（周波数：８００ＭＨｚ，１．５ＧＨｚ，１．９ＧＨｚ等）は透過させて、その利便性を損なうことなく利用できるが、無線ＬＡＮの電磁波（周波数：２．４ＧＨｚ，５．２ＧＨｚ等）を遮蔽することができるような電磁波遮蔽材が要求されるようになってきている。
【０００６】
また、オフィス等を電磁波シールド区域とする場合に、この電磁波シールド区域を全て不透明な電磁波遮蔽材で覆ってしまうと、閉塞感が強まり、オフィス環境として不適当となるため、窓ガラス等の透明性を損なうことなく、しかも、張り付け等の簡単な作業で電磁波シールドを行うことができる電磁波遮蔽材が必要となっている。
【０００７】
これらの要求を満たすために開発されている従来技術の周波数選択性電磁波シールドとして、透光性に優れたポリイミドフィルムやポリエステルフィルム、ポリエチレンフィルム等の合成樹脂フィルムやガラス等に、遮蔽しようとする特定の電磁波に対応した線状アンテナ素子や導電性双極性素子パターン等の電磁遮蔽素子を形成し、電磁波を共振や散乱等により減衰させたり、反射したりして、特定の一つ乃至複数の周波数の電磁波を遮蔽する電磁波シールド材がある。
【０００８】
【発明が解決しようとする課題】
しかしながら、このような電磁波シールド材では、単一の周波数や幾つかの周波数しか遮蔽することができないという問題があり、また、無線ＬＡＮの周波数が増加するような場合には、その周波数も反射する新たな電磁波シールド材が必要になるという問題がある。
【０００９】
また、これらの製造において、導電性薄膜の模様は、合成樹脂フィルム上に形成されるが、導電性金属箔のラミネート方法や、金属薄膜の蒸着やスパッタリングまたは無電界メッキ方法や、金属薄膜の真空蒸着方法で行われ、金属薄膜をパターン化する方法には、リソグラフィ法が用いられており、エッチングレジストをグラビア印刷、平板印刷、スクリーン印刷等により金属薄膜上に印刷した後、エッチングして、パターンを形成している。
【００１０】
この製造プロセスでは、レジスト塗布、パターン露光、現像、エッチング、洗浄と乾燥等の数多くのプロセスを要する上に、これらのプロセスに一定の時間を必要とするため、工数及び手間がかかり低コスト化が困難であるという問題がある。
【００１１】
本発明の目的は、可視光を透過する透明性を保持すると共に、特定の周波数の電磁波のみを透過し、しかも、窓ガラス等に対しても簡単に電磁波シールドを施すことができる電磁波遮蔽材とその製造方法を提供することにある。
【００１２】
【課題を解決するための手段】
上記目的を達成するための本発明の電磁波遮蔽材は、可視光を透過する透明な導体層の面に、所定の形状及び所定の寸法の貫通孔を配列し、この貫通孔の形状及び寸法に対応した所定の周波数の電磁波のみを透過可能として構成される。
【００１３】
なお、ここでいう周波数とは、無線通信で使用される周波数と同じ意味であり、完全に単一の周波数だけでなく、実用的な幅を有する周波数帯域のことも含み、また、ここでいう透明は可視光の減衰が殆ど無い略完全な透明だけではなく、外部が透かして見える程度の半透明の場合も含む。
【００１４】
この電磁波遮蔽材は、導体層で形成される電磁波遮蔽材に、特定な形状及び寸法の貫通孔〔スロット）を配列することにより、この貫通孔の形状及び寸法に対応する特定の周波数の電磁波のみが透過可能となることを利用した、透過する電磁波の周波数に対して選択性を有する電磁波遮蔽材であり、従来の遮蔽する電磁波の周波数に対して選択性を有する電磁波遮蔽材と大きく異なる。
【００１５】
そして、形状又は寸法の少なくとも一方が異なる複数の種類の貫通孔を配置し、この複数の種類の貫通孔に対応した複数の周波数の電磁波を透過可能とすることにより、電磁波遮蔽材を透過可能な電磁波の周波数に、携帯電話の電磁波の周波数のみならず、ＰＨＳの電磁波の周波数も含ませることができる。
【００１６】
また、貫通孔の形状を、複数の線状スリットを放射状に接続した形状にすることにより、狭い帯域の所定の周波数のみを透過可能にできる。
【００１７】
この複数の線状スリットを放射状に接続した形状としては、ダイポール、Ｙ字、十字等、複数の線端部を有する形状がある。
【００１８】
そして、この貫通孔の配列は、単一種類の貫通孔の場合には一定間隔で規則的に配列されることが好ましく、複数種類の貫通孔の場合には、この貫通孔で形成される模様が、周期的に繰り返されるような配列が好ましい。
【００１９】
また、本発明の電磁波遮蔽材においては、透明な導体層を、金属、金属酸化物、金属窒化物の内の一つ又はこれらの混合物を材料とした、格子、織物、箔、多孔膜、真空蒸着膜、スパッタリング膜、ＣＶＤ膜の内の一つ又はこれらの積層体で形成することが好ましく、特に、金属の導体メッシュ、織物に金属を蒸着する等して得られる導体化したメッシュ、金属蒸着等により導体化したプラスチックフィルム、金属箔等がより好ましい。
【００２０】
そして、透明な導体層を透明なフィルムに積層することにより、より取り扱いが容易となり、更に、透明な導体層若しくは透明なフィルムに、接着剤若しくは粘着材を塗布し、又は、透明な導体層若しくは透明なフィルムに、粘着フィルムを積層することにより、張り付けるだけの簡単な作業で容易にオフィスの窓ガラスや透明な仕切り等に電磁波シールド機能を付与できるようになる。
【００２１】
また、無線電話通信で使用する電磁波の周波数の少なくとも一つの周波数の電磁波を透過可能とすることにより、電話通信の利便性を生かしたまま、無線ＬＡＮ等の電磁波をシールドできる。なお、この無線電話通信とは、携帯電話やＰＨＳ等の無線で電話通信を行うための通信のことをいう。
【００２２】
そして、本発明の電磁波遮蔽材の製造方法は、電磁波遮蔽材の製造にあたり、透明な導体層に、貫通孔を開口する刃を配列したプレス若しくはローラを押圧することにより、透明な導体層に前記貫通孔を打ち抜いて開口する製造方法である。
【００２３】
つまり、電磁波遮蔽材に形成する開口パターンに対応させて、クリッカープレスに貫通孔開口用の刃を列状に配列し、このクリッカープレスにより導体層の面に周期的な貫通孔を設ける。若しくは、プレスローラの円筒上に、開口パターンに対応させて、刃を列状に配置して、これを輪転させて送り出しながら、導体層の面に周期的な貫通孔を設ける。
【００２４】
又は、電磁波遮蔽材の製造にあたり、透明な導体層に、貫通孔に対応する凸状の型を配列したプレス若しくはローラを加熱して当接し、凸状の型が当接した部分を熱で融解することにより、透明な導体層に貫通孔を開口する製造方法である。
【００２５】
これらの製造方法によれば、開口パターンの型刃で電磁波遮蔽層を機械的に打ち抜いて開口したり、開口パターンの熱コテで電磁波遮蔽層を溶融して開口するプロセスを採用することにより、工程数を著しく減少できるので、大幅なコストダウンが可能となる。
【００２６】
【発明の実施の形態】
以下、本発明に係る実施の形態の電磁波遮蔽材について、図面を参照しながら説明する。
【００２７】
図１に示す本発明の第１の実施の形態の電磁波遮蔽材１は、可視光を透過する透明な導体層１０の面に、透過させる所定の周波数の電磁波に対応した所定の形状及び所定の寸法の貫通孔（スロット）２０を配列して形成される。この貫通孔２０は、一定間隔で規則的に配列される。
【００２８】
この可視光を透過する透明な導体層１０は、アルミニウムや銀等の金属、酸化錫や酸化錫ドープ酸化インジウムや酸化亜鉛等の金属酸化物、窒化チタン等の金属窒化物の内の一つ又はこれらの混合物を材料として形成し、これらの材料を格子（メッシュ）、織物、箔、多孔膜、真空蒸着膜、スパッタリング膜、ＣＶＤ（化学的気相成長）膜の内の一つ又はこれらの積層体で形成することができるが、好ましくは、金属の導体メッシュ、織物に金属を蒸着する等して得られる導体化したメッシュ、金属蒸着等により導体化したプラスチックフィルム、金属箔等で形成する。また、アルミニウムを真空蒸着したポリエチレンテレフタレートフィルム（アルミ蒸着フィルム）を用いることもできる。
【００２９】
いずれにしても、この透明な導体層１０は、電磁波を遮蔽する機能を有することが重要であり、厚さも要求される電磁波シールド能力によって決まる。
【００３０】
そして、電磁波を遮蔽する導体層１０に、特定な形状及び寸法の貫通孔２０を配列することにより、この貫通孔２０の形状及び寸法に対応する特定の周波数の電磁波のみが透過可能となり、可視光を透過する透明な周波数選択性電磁波遮蔽材が得られる。
【００３１】
この貫通孔２０の形状及び寸法は、透過させる電磁波の周波数によって、決定され、一般的には、同じ形状であれば周波数が低い程寸法は大きくなる。また、貫通孔２０の数が多い程、透過性は増大し、透過する電磁波の量が増加する。
【００３２】
この貫通孔２０の形状の代表的なものとしては、図１に示すような十字形状があり、スリット幅と長さと幅によってこの十字の形状と寸法が決まるが、これらの形状と寸法により、透過可能となる電磁波の周波数や透過量が決まる。この十字形状の長さ（幅）により、透過させる電磁波の周波数が決まり、十字形状の長さ（幅）が透過させる電磁波の波長の１／２となる。また、スリットの幅により、透過させる電磁波の帯域と透過率が変わるが、遮蔽したい周波数の電磁波の透過率も変わるため、最適値を選択する必要がある。また、貫通孔２０の配列については、間隔が短い程透過率が良くなるが、貫通孔２０が近すぎると透過周波数のピークや透過量等に影響が出てくる。
【００３３】
そして、この貫通孔２０の形状を複数の線状スリットを放射状に接続した形状にすることにより、狭い帯域の所定の周波数のみを透過可能にでき、このような形状としては、図２に例示するような、ダイポール、Ｙ字、十字等、複数の線端部を有する形状や、矩形形状や丸形状等に周囲を抜いた形状がある。
【００３４】
図３に示す本発明の第２の実施の形態の電磁波遮蔽材１Ａは、可視光を透過する透明な導体層１０の面に、貫通孔２０を配列して形成されるが、寸法が異なる複数の種類の貫通孔２０Ａ，２０Ｂを配置し、これらの貫通孔２０Ａ，２０Ｂで形成される模様が、周期的に繰り返されるように配列する。
【００３５】
この電磁波遮蔽材１Ａでは、これらの複数の種類の貫通孔２０Ａ，２０Ｂに対応した複数の周波数の電磁波が透過可能となる。
【００３６】
この構成により、電磁波遮蔽材１Ａを透過可能な電磁波の周波数は、複数の周波数となる。そして、図４に示すような、８００ＭＨｚの携帯電話の電磁波の周波数と１．９ＧＨｚのＰＨＳの電磁波の周波数が透過可能で、外部に漏洩すると問題を生じる無線ＬＡＮ（２．４ＧＨｚ）の電磁波を反射したり、大きく減衰させたりして遮蔽することができる電磁波透過特性を持つ電磁波遮蔽材１Ａが得られる。
【００３７】
なお、対象領域を分割して、透過周波数が異なる、別々の単一の周波数を透過する電磁波遮蔽材１を複数種類組み合わせることにより、複数の周波数の電磁波を透過させることができる。
【００３８】
そして、図５（ａ）に示すように、より取り扱いが容易となるように、この透明な導体層１０を透明なフィルム１１に積層する。なお、寸法の一例を上げると、透明な導体層１０の厚さが５０μｍ〜１００μｍで、透明なフィルム１１の厚さが５０μｍ〜１００μｍである。
【００３９】
また、図５（ｂ）に示すように、透明なフィルム１１に、接着剤（若しくは粘着材）１２を塗布する。なお、透明な導体層１０が丈夫に形成されている場合には、図５（ｃ）に示すように、透明な導体層１０に接着剤１２を直接塗布してもよい。
【００４０】
又は、図６（ａ）に示すように、透明な導体層１０に粘着フィルム１３を積層したり、図６（ｂ）に示すように、透明な導体層１０を積層した透明なフィルム１１に粘着フィルム１３を積層したりする。
【００４１】
この透明なフィルム１１としては、透明な合成樹脂が好ましく、例えば、ポリエチレンテレフタレート（ＰＥＴ）、アクリル、ＡＢＳ樹脂、ポリカーボネート、テフロン（登録商標）等の有機高分子を使用することができる。この透明なフィルム１１には、ガラスの飛散防止機能、紫外線遮蔽機能等の機能を具備させてもよい。
【００４２】
これらの構成により、電磁波遮蔽材１，１Ａの片面側に接着剤１２が塗布されているので、カッターナイフで裁断して離型紙をはがしたりして、容易にオフィスの窓ガラスや透明な仕切り等に張り付けることができ、張り付けるだけの簡単な作業でこれらの部材に電磁波シールド機能を付与できるようになる。
【００４３】
次に、本発明の電磁波遮蔽材の製造方法について説明する。
【００４４】
第１の実施の形態の製造方法は、図７に示すような、貫通孔２０を開口する刃３１ａを配列した打ち抜き型３１を使用する方法であり、透明な導体層１０を巻き出しロール３２にセットし、巻き上げ側ロール３２に巻き込み、開口パターン打ち抜き型３１をセットしたプレス３０を、透明な導体層１０に押圧することにより、透明な導体層１０に貫通孔２０を打ち抜き、打ち抜きが終了したら、透明な導体層１０を巻き上げ側ロール３２で巻き上げて規定の長さ（例えば、打ち抜き型３１の長さ）分だけ移動し、移動した後にプレス３０を透明な導体層１０に押圧して貫通孔２０を打ち抜き、これ繰り返して導体層１０の面に周期的な貫通孔２０を設けた電磁波遮蔽材１，１Ａを製造する。
【００４５】
第２の実施の形態の製造方法は、円筒上に貫通孔２０を開口する刃４１ａを配列したローラ４０を使用する方法であり、透明な導体層１０を巻き出しロール３２にセットし、巻き上げ側ロール３２に巻き込んだ後に、打ち抜き型ローラ４０を下げ、透明な導体層１０に加圧し、このローラ４０を巻き上げロール３２と同期させて押圧しつつ回転させて、透明な導体層１０を送り出しながら、連続的に貫通孔２０の開口を行い、導体層１０の面に周期的な貫通孔２０を設けた電磁波遮蔽材１，１Ａを製造する。
【００４６】
第３の実施の形態の製造方法は、貫通孔２０を開口する凸部５１ａを配列した開口パターン融解型５１を使用する方法であり、透明な導体層１０を巻き出しロール３２にセットし、巻き上げ側ロール３２に巻き込み、開口パターン融解型５１をセットした熱プレス５０を、透明な導体層１０に押圧し熱で融解することにより、透明な導体層１０に貫通孔２０を開口し、開口が終了したら透明な導体層１０を規定の長さ（例えば、開口パターン融解型５１の長さ）分だけ移動し、移動した後に熱プレス５０を透明な導体層１０に押圧して貫通孔２０を開口し、これ繰り返して導体層１０の面に周期的な貫通孔２０を設けた電磁波遮蔽材１，１Ａを製造する。
【００４７】
第４の実施の形態の製造方法は、円筒上に貫通孔２０を開口する凸部５１ａを配列したを配列した熱ローラ６０を使用する方法であり、透明な導体層１０を巻き出しロール３２にセットし、巻き上げ側ロール３２に巻き込んだ後に、凸状パターンを設けた熱ローラ６０を下げ、透明な導体層１０に加圧し、この熱ローラ４０を巻き上げロール３２と同期させて加圧しつつ回転させて、透明な導体層１０を送り出しながら、連続的に凸状の型６１の熱により融解して貫通孔２０の開口を行い、導体層１０の面に周期的な貫通孔２０を設けた電磁波遮蔽材１，１Ａを製造する。
【００４８】
これらの製造方法によれば、開口パターンの刃３１、４１で電磁波遮蔽層である透明な導体層１０を機械的に打ち抜いて貫通孔２０を開口したり、開口パターンの熱コテである凸状の型５１、６１により導体層１０を溶融して貫通孔２０を開口したりするプロセスを採用することにより、少ない工程数で、低コストで製造することができる。
【００４９】
次に、本発明の電磁波遮蔽材の運用方法について説明する。
【００５０】
本発明の電磁波遮蔽材を、携帯電話やＰＨＳで使用している周波数の電磁波に対しては透過材として働き、その他の電磁波、即ち、無線ＬＡＮで使用している周波数の電磁波に対しては遮蔽材として働くように、所定の形状及び寸法の貫通孔２０を設けて構成する。
【００５１】
この電磁波遮蔽材を、電磁波シールの対象区域の窓ガラスに張り付ける。この対象区域では、窓ガラス以外の壁等は、不透明な電磁波遮蔽材で電磁波を遮断する。
【００５２】
この構成により、単数のみならず、複数の無線ＬＡＮの電磁波を遮蔽して外部への漏洩を防止できるので、無線ＬＡＮにおける情報の漏洩を防止してセキユリティ性を確保できる。それと共に、携帯電話やＰＨＳの電磁波は透過できるので、これらの無線電話通信は可能となり、利便性を損なうことがない。
【００５３】
特に本発明の電磁波遮蔽材は、透過する周波数を選択でき、他の周波数の電磁波を遮蔽できるので、電磁波シールの対象区域で使用する無線ＬＡＮの周波数の増加や変更の影響を受けない。
【００５４】
なお、図１１に示すように、携帯電話等は受信感度が高く受信レベルが一般に３０ｄＢ程度減衰しても、通信可能であるのに対して、無線ＬＡＮは受信レベルが２０ｄＢ減衰すると通信が困難となるという性質があるので、携帯電話等の電磁波に対しては３０ｄＢ以内の減衰で透過可能とし、無線ＬＡＮの電磁波は２０ｄＢ以上減衰させるような、本発明の電磁波遮蔽材を使用することにより、この性質を生かした電磁波シールが可能となる。
【００５５】
図１２に設計例を示す。図１２は、誘電率６．５で厚さ３ｍｍのガラスで形成された１層目に完全導体を積層し、この完全導体に十字形状で長さ（幅）を１２５ｍｍに固定し、スリット幅を６．２５ｍｍ（Ａ線），１２．９ｍｍ（Ｂ線），１９．４ｍｍ（Ｃ線）のパターンを形成した場合の計算結果を示す。
【００５６】
【発明の効果】
以上に説明したように、本発明の電磁波遮蔽材によれば、次のような効果を奏することができる。
【００５７】
貫通孔の形状及び寸法に対応した特定の周波数の電磁波のみを透過させることができるので、この透過する周波数を携帯電話及びＰＨＳ等の無線電話通信で使用する周波数にすることにより、これらの無線電話通信の電磁波は通過して使用可能となり、無線ＬＡＮで使用する周波数の電磁波を遮蔽できるので、無線電話通信の利便性を損なうことなく、無線ＬＡＮの電磁波の漏洩を阻止でき、無線ＬＡＮによる情報の漏洩を防止できる。
【００５８】
また、透過可能な電磁波の周波数を選択し、その他の周波数の電磁波は反射等により遮蔽できるという、透過させる電磁波を選択する周波数選択性を有しているので、電磁波シールドを施工した後に、遮蔽対象となる無線ＬＡＮで使用する電磁波の周波数が増加しても、遮蔽効果をそのまま維持できる。
【００５９】
また、貫通孔の形状と寸法を携帯電話やＰＨＳ等の複数の周波数にそれぞれ対応させて混在させることにより、携帯電話やＰＨＳ等の複数の無線電話通信の運用を可能にできる。
【００６０】
また、本発明の電磁波遮蔽材の製造方法によれば、従来技術では、リソグラフィプロセス等の高コストの製造プロセスを要していたが、これに替えて開口パターンの刃型等で電磁波遮蔽層における貫通孔を機械的に打ち抜いて開口したり、開口パターンの熱コテで電磁波遮蔽層における貫通孔を溶融して開口するプロセスを採用することにより、工程数を著しく減少でき、大幅なコストダウンが可能となる。
【図面の簡単な説明】
【図１】本発明の第１の実施の形態の電磁波遮蔽材の平面図である。
【図２】貫通孔の形状を示す図であり、（ａ）はダイポールを、（ｂ）はＹ字形状を、（ｃ）は十字形状を、（ｄ）は矩形形状を、（ｅ）は丸形状を、それぞれ示す図である。
【図３】本発明の第２の実施の形態の電磁波遮蔽材の平面図である。
【図４】第２の実施の形態の電磁波遮蔽材の電磁波透過特性を示す図である。
【図５】電磁波遮蔽材の積層構造を例示する図で、（ａ）は透明な導体層を透明なフィルムの積層した図で、（ｂ）は（ａ）の透明なフィルムに接着剤を塗布した図で、（ｃ）は透明な導体層に接着剤を塗布した図である。
【図６】電磁波遮蔽材の積層構造を例示する図で、（ａ）は透明な導体層に粘着フィルムを積層した図で、（ｂ）は透明な導体層を積層した透明なフィルムに粘着フィルムを積層した図である。
【図７】第１の実施の形態の電磁波遮蔽材の製造方法を示す図である。
【図８】第２の実施の形態の電磁波遮蔽材の製造方法を示す図である。
【図９】第３の実施の形態の電磁波遮蔽材の製造方法を示す図である。
【図１０】第４の実施の形態の電磁波遮蔽材の製造方法を示す図である。
【図１１】携帯電話とＰＨＳと無線ＬＡＮの運用可能な範囲を示す図である。
【図１２】本発明に関する電磁波遮蔽材の試設計における周波数透過特性の計算結果の一例を示す図である。
【符号の説明】
１，１Ａ　電磁波遮蔽材
１０　透明な導体層
１１　透明なフィルム
１２　接着剤（若しくは粘着材）
１３　粘着フィルム
２０，２０Ａ，２０Ｂ　貫通孔
３０　プレス
３１　打ち抜き型
３１ａ　刃
３２　巻き出しロール
４０　ローラ
４１ａ　刃
５０　熱プレス
５１ａ　凸部
６０　熱ローラ
６１ａ　凸部
【図１】
2004053466.tif 000003
【図２】
2004053466.tif 000004
【図３】
2004053466.tif 000005
【図４】
2004053466.tif 000006
【図５】
2004053466.tif 000007
【図６】
2004053466.tif 000008
【図７】
2004053466.tif 000009
【図８】
2004053466.tif 000010
【図９】
2004053466.tif 000011
【図１０】
2004053466.tif 000012
【図１１】
2004053466.tif 000013
【図１２】
2004053466.tif 000014